(57)【特許請求の範囲】
【請求項１】
照明系により被検眼に細隙状の照明光を照射し、被検眼における細隙状の照明光の照射部位からの反射光を顕微鏡系にて観察する細隙灯顕微鏡において、
前記顕微鏡系を構成する対物レンズの周りの鏡筒端面に、前記細隙状の照明光の照射野周辺への背景照明光を照射する発光素子群を配置したことを特徴とする細隙灯顕微鏡。
【請求項２】
被検眼に対する位置を変位可能に配置した照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、
前記顕微鏡系を構成する対物レンズの周りの鏡筒端面に周回配列され、前記細隙状の照明光の照射野周辺への背景照明光を照射する発光素子群と、
前記被検眼に対する対物レンズの位置関係に応じて、前記対物レンズの周りの発光素子群のうちの点灯する発光素子の位置及び個数を調整する点灯調整手段と、
を有することを特徴とする細隙灯顕微鏡。
【請求項３】
被検眼に対する位置を変位可能に配置した照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、
前記顕微鏡系を構成する対物レンズの周りの鏡筒端面に周回配列され、前記細隙状の照明光の照射野周辺への背景照明光を照射する発光素子群と、
前記被検眼に対する対物レンズの位置関係に応じて、前記対物レンズの周りの発光素子群のうちの点灯する発光素子の位置及び個数を調整する点灯調整手段と、
前記対物レンズの周りの発光素子群からの背景照明光の照度を調整する調光手段と、
を有することを特徴とする細隙灯顕微鏡。
【請求項４】
支持枠により被検眼に対する位置を変位可能に支持された照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、
前記支持枠における前記被検眼に対向する領域に、前記被検眼へ照射する細隙状の照明光の照射野周辺への背景照明光を照射する発光素子群を配置したことを特徴とする細隙灯顕微鏡。
【発明の詳細な説明】
【０００１】
【発明の属する技術分野】
本発明は、細隙灯顕微鏡に関し、より詳しくは、被検眼の特定の観察部位の細隙像はもちろん、観察部位の周辺部をも同時に明瞭に観察可能な細隙灯顕微鏡に関する。
【０００２】
【従来の技術】
眼科分野で使用される眼科装置一種として、細隙灯顕微鏡がある。これは眼科医の日常の診察において使用されるもので、被検眼への照明方法を工夫することで被検眼の種々の病変部を観察可能とするものである。
【０００３】
この細隙灯顕微鏡は、図１４に概念的に示すように、光源２０１からの光を細隙状の光（スリット光）にして被検眼Ｅの角膜Ｅｄに照射し、角膜Ｅｄを光切断の状態にして、この光切断された角膜部分からの反射光を対物レンズ２０２を介して図示しない観察光学系、画像処理系に取り込み、図１５に示すように画像モニタ２０３の画面に角膜断面像Ｅｄ´を表示するものである。
【０００４】
この細隙灯顕微鏡は、チンダル現象を利用することで、被検眼Ｅのわずかな病変部を観察することができる（糸井素一、金上貞夫著  「スリットランプ」  ｐ２５，Ｆｉｇ３４  メディカル葵出版参照）。
【０００５】
しかし、このような従来の細隙灯顕微鏡の場合、例えば角膜断面像Ｅｄ´のみを明瞭に観察できるものの、角膜断面以外の周辺の組織（強膜、虹彩等）は全く観察することはできない。これは、角膜をスリット状の照明光により照明するので照明野が極めて狭く、角膜断面以外の周辺領域は真っ暗（図１５においてクロス斜線で示す）となって画像化することが困難である。
【０００６】
しかし、被検眼Ｅのある特定部位の周辺の外観や組織状態も画像化し、被検眼全体に亘って病変部の位置、大きさが分かるようになれば、適切な診断ができるようになることから、ある特定部位の周辺の外観や組織状態をも観察可能とすることが要請される。このようにすれば、術者以外の第三者（患者やその家族、学会や雑誌等の関係者等）への病変部の説明が容易になる利点もある。
【０００７】
被検眼Ｅの特定部位の周辺領域へ背景照明光を照射する細隙灯顕微鏡の従来例について図１６を参照して説明する。
【０００８】
図１６に示す従来の細隙灯顕微鏡１００は、テーブル１０２上に移動機構部１０３を介して水平横方向及び水平縦方向に移動可能に支持された基台１０４と、傾倒操作により基台１０４を水平横方向及び水平縦方向に変位させる操作ハンドル１０５と、前記基台１０４により支持された顕微鏡系（観察光学系）１０６、前記基台１０４に対して支持枠１１３を介して支持されるとともに光源や細隙を内蔵し、支持枠１１３の所定の位置に設けたミラー１１２を介して被検眼Ｅに細隙状の照明光を照射する照明系１０８と、前記顕微鏡系１０６の対物レンズを収納した鏡筒本体１０９に対峙させた被検者用の顎受部１１０ａ、額当て１１０ｂを有する顎受け台１１０とを具備している。
【０００９】
前記鏡筒本体１０９の側面には、観察倍率変倍用の回転軸を突設し、この回転軸に対して外周に顕微鏡系１０６の観察倍率を示す６，１０，１６，２５，４０等の数字を付した操作ノブ１１１を装着している。
【００１０】
前記照明系１０８の筐体部には、この照明系１０８が発光する照明光の一部を利用する手動操作型のライトガイド１２０が取り付けられ、このライトガイド１２０の先端から前記被検眼Ｅに向けて背景照明光を照射するようになっている。図１６中、１３０は前記鏡筒本体１０９に取り付けた例えばビデオカメラのよううな撮像装置である。
【００１１】
前記顎受け台１１０には、図１７に示すように、その両側端１１０ｃ、１１０ｄに、嵌合状態で同一寸法の一対の装着受部１４１ａ、１４１ｂを設けている。そして、装着受部１４１ａに、固視標支持部材１５０を装着すようになっている。固視標支持部材１５０は、装着受部１４１ａに挿入する挿入部１５１と、第１の回転可能な継手部１５２と、この第１の回転可能な継手部１５２により回転可能に支持した第１アーム１５３と、第１アーム１５３の端部に取り付けた第２の回転可能な継手部１５４と、この第２の回転可能な継手部１５４により回転可能に支持した第２アーム１５５とを備え、この第２のアーム１５５の先端部に固視標１５６を取り付ける構造となっている。
【００１２】
このような顎受け台１１０に対して、図１８に示すように、顎受け台１１０の上部を支軸として被検者の顔の前方の領域を回動可能な回動部材１６０を配置し、この回動部材１６０における被検眼Ｅの近傍を占める位置に背景照明用のＬＥＤ１６１を取り付けた構造のものも知られている。
【００１３】
また、図１９に示すように、前記顎受け台１１０の側端１１０ａ（又は側端１１０ｂ）に対して、取り付け具１７１、第１アーム１７２、継手１７３、第２アーム１７４を介して背景照明用のＬＥＤ１７５を取り付けた構造のものも知られている。
【００１４】
【発明が解決しようとする課題】
しかしながら、図１６に示す従来の細隙灯顕微鏡１００の場合、前記ライトガイド１２０からの背景照明光の光源は前記照明系１０８の光源と共通であるため、被検眼Ｅに対する細隙状の照明光の光量調製を行うと、これに連動して背景照明光の光量も変化してしまい、背景照明光のみの光量調整はできないという問題がある。このことは、被検眼Ｅの視覚観察やビデオカメラによる撮像、スチールカメラによる撮影等、多角的に被検眼Ｅの観察、記録を行う各々の場合に、被検眼Ｅの特定部位に関する背景照明の最適化が困難であることを意味する。
【００１５】
また、図１６に示す従来の細隙灯顕微鏡１００の場合、前記ライトガイド１２０の先端部近傍に、光量調整用の複数の穴の空いた遮光部材を設け、穴の位置を切り換えることで前記背景照明光の光量調整を行うように構成している。
【００１６】
しかし、このような構成では、光量調整を行う都度検者が遮光部材を操作するために指をライトガイド１２０の先端部近傍の遮光部材に触らなければならず、このため、被検者に煩雑感を与え、また、細隙灯顕微鏡１００による被検眼Ｅの観察時の操作性を低下させるという問題がある。
【００１７】
一方、前記照明系１０８とは全く別途に図１８に示すような背景照明用のＬＥＤ１６１を設けたり、図１９に示すように各種機構部品を介して背景照明用のＬＥＤ１７５を取り付けた構造の場合、電源部、光源の付加が必要で細隙灯顕微鏡１００の全体構成の大型化、複雑化を招いてしまう。さらに、電源部、光源は前記テーブル１０２外の床上等に設置しなければならず、このため配線器具が増えたり、配線材の引き回し距離が長くなってしまい、細隙灯顕微鏡１００の可動部分のいずれかの箇所に接触する等、細隙灯顕微鏡１００自体の操作性を低下させてしまうという問題も生じる。
【００１８】
そこで、本発明は、従来例のようなライトガイドや配線材等を不要とし、省スペース化を図りつつ良好な操作性を得ることができ、しかも、被検眼の視覚観察やビデオカメラによる撮像、スチールカメラによる撮影等、多角的に被検眼の観察、記録を行う場合に、各々特定部位に対する最適な背景照明を得ることができる細隙灯顕微鏡を提供するものである。
【００１９】
【課題を解決するための手段】
請求項１記載の発明に係る細隙灯顕微鏡は、照明系により被検眼に細隙状の照明光を照射し、被検眼における細隙状の照明光の照射部位からの反射光を顕微鏡系にて観察する細隙灯顕微鏡において、前記顕微鏡系を構成する対物レンズの周りの鏡筒端面に、前記細隙状の照明光の照射野周辺への背景照明光を照射する発光素子群を配置したことを特徴とするものである。
【００２０】
この発明によれば、前記照明系により被検眼に細隙状の照明光を照射して被検眼の特定部位を観察できるとともに、顕微鏡系を構成する対物レンズの周りの鏡筒端面に前記細隙状の照明光の照射野周辺への背景照明光を照射する発光素子群を配置したものであるから、被検眼の特定部位については、前記細隙状の照明光に基づき明瞭な画像を得て観察し、記録可能となるとともに、その周辺部についても前記発光素子群からの背景照明光に基づき被検眼の特定部位とともに明瞭に観察し、記録することが可能となる。
【００２１】
請求項２記載の発明に係る細隙灯顕微鏡は、被検眼に対する位置を変位可能に配置した照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、前記顕微鏡系を構成する対物レンズの周りの鏡筒端面に周回配列され、前記細隙状の照明光の照射野周辺への背景照明光を照射する発光素子群と、前記被検眼に対する対物レンズの位置関係に応じて、前記対物レンズの周りの発光素子群のうちの点灯する発光素子の位置及び個数を調整する点灯調整手段とを有することを特徴とするものである。
【００２２】
この発明によれば、前記照明系により被検眼に細隙状の照明光を照射して被検眼の特定部位を観察できるとともに、顕微鏡系を構成する対物レンズの周りの鏡筒端面に前記細隙状の照明光の照射野周辺への背景照明光を照射する発光素子群を配置し、点灯調整手段により、前記被検眼に対する対物レンズの位置関係に応じて、前記対物レンズの周りの発光素子群のうちの点灯する発光素子の位置及び個数を調整するものである。
【００２３】
従って、被検眼の特定部位については、前記細隙状の照明光に基づき明瞭な画像を得て観察し、記録可能となるとともに、その周辺部に対しても前記発光素子群のうちの点灯する発光素子の位置及び個数を前記点灯調整手段により調整することで、前記被検眼に対する対物レンズの位置関係に応じた最適の背景照明光を照射でき、前記被検眼の特定部位とともにその周辺領域を明瞭に観察し、記録することが可能となる。
【００２４】
請求項３記載の発明に係る細隙灯顕微鏡は、被検眼に対する位置を変位可能に配置した照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、前記顕微鏡系を構成する対物レンズの周りの鏡筒端面に周回配列され、前記細隙状の照明光の照射野周辺への背景照明光を照射する発光素子群と、前記被検眼に対する対物レンズの位置関係に応じて、前記対物レンズの周りの発光素子群のうちの点灯する発光素子の位置及び個数を調整する点灯調整手段と、前記対物レンズの周りの発光素子群からの背景照明光の照度を調整する調光手段とを有することを特徴とするものである。
【００２５】
この発明によれば、請求項２記載の発明の構成に加えて、前記対物レンズの周りの発光素子群からの背景照明光の照度を調整する調光手段を設けているので、被検眼の特定部位については、前記細隙状の照明光に基づき明瞭な画像を得て観察し、記録可能となるとともに、その周辺部に対しても前記発光素子群のうちの点灯する発光素子の位置及び個数を前記点灯調整手段により調整することで、前記被検眼に対する対物レンズの位置関係に応じた最適の背景照明光を照射でき、前記被検眼の特定部位とともにその周辺領域を明瞭に観察し、記録することが可能となる。
【００２６】
さらに、前記点灯調整手段による点灯動作する発光素子の位置及び個数の調整と、調光手段による背景照明光の照度調整とを組み合わせることにより、被検眼の視覚観察やビデオカメラによる撮像、スチールカメラによる撮影等、多角的に被検眼の特定部位の観察、記録を行う場合に、各々最適な背景照明を得ることが可能となる。
【００２７】
請求項４記載の発明に係る細隙灯顕微鏡は、支持枠により被検眼に対する位置を変位可能に支持された照明系により被検眼に細隙状の照明光を照射し、被検眼における細隙状の照明光の照射部位からの反射光を前記被検眼に対する位置を変位可能に配置した顕微鏡系にて観察する細隙灯顕微鏡において、前記支持枠における前記被検眼に対向する領域に、前記被検眼へ照射する細隙状の照明光の照射野周辺への背景照明光を照射する発光素子群を配置したことを特徴とするものである。
【００２８】
この発明によれば、前記照明系により被検眼に細隙状の照明光を照射して被検眼の特定部位を観察できるとともに、照明系を支持する支持枠における前記被検眼に対向する領域に配置した発光素子群から、前記被検眼へ背景照明光を照射することにより、前記細隙状の照明光に基づく特定部位の周辺領域についても、明瞭に観察し、記録することが可能となる。
【００２９】
【発明の実施の形態】
以下に、本発明の実施の形態を説明する。
【００３０】
図１に示す本実施の形態の細隙灯顕微鏡１は、テーブル２上に移動機構部３を介して水平横方向及び水平縦方向に移動可能に支持された基台４と、傾倒操作により基台４を水平横方向及び水平縦方向に変位させる操作ハンドル５と、前記基台４により被検眼Ｅに対して水平方向に回動変位可能に支持された顕微鏡系６、前記基台４に対して支持枠１５を介して被検眼Ｅに対して水平方向に回動変位可能に支持されるとともに、光源や細隙状の照明光を形成する細隙を内蔵し、さらに細隙状の照明光の反射用のミラー１２を搭載した照明系８と、前記顕微鏡系６の対物レンズ３１を収納した鏡筒本体９に対峙させた被検者用の顎受部１０ａ、額当て１０ｂを有する顎受け台１０とを具備している。
【００３１】
前記鏡筒本体９の側面には、観察倍率変倍用の回転軸を突設し、この回転軸に対して外周に顕微鏡系６の観察倍率を示す６，１０，１６，２５，４０等の数字を付した操作ノブ１１を装着するようになっている。
【００３２】
前記鏡筒本体９における対物レンズ３１側の端面９ｂには、図２、図３に示すように、対物レンズ３１の回りを周回する配列で発光素子群、即ち、合計１６個の発光素子（例えば白色ＬＥＤ）Ｌ1 乃至Ｌ16が各々の発光面が前記顎受け台１０側、即ち、被検眼Ｅ側を向くようにして埋設され、これにより従来例のようなライトガイドを採用する場合に比べ省スペース化が図られている。
【００３３】
図４は、本実施の形態の細隙灯顕微鏡１の光学構成の概略を示すものであり、この細隙灯顕微鏡１は、鏡筒本体９に収納した顕微鏡系６と、鏡筒本体９に取り付けた例えばビデオカメラのような撮像カメラ４３を使用した撮像装置２０と、顕微鏡系６に対し、被検眼Ｅに対峙させるミラー１２に関して直交配置とした前記照明系８とを有している。顕微鏡系６は、対物レンズ３１と、変倍光学系３２と、集光レンズ３３と、ビームスプリッタ３４と、リレーレンズ３５と、光路を接眼鏡筒９ａ側に変更するプリズム３６と、接眼鏡筒９ａに配置した接眼レンズ３７とを具備し、被検眼Ｅの像を図４に示す結像点ｐに結像し検者眼Ｅ0 により観察可能とするようになっている。
【００３４】
前記撮像装置２０は、前記ビームスプリッタ３４により分岐される光束を集光する集光レンズ４１と、この集光レンズ４１からの光束を９０度直角に曲げるミラー４２と、撮像カメラ４３とを有している。
【００３５】
前記照明系８は、ハロゲンランプ等の光源５１と、この光源５１からの光を集光する集光レンズ５３と、この集光レンズ５３を通過した光の一部のみを通過させる細隙（スリット）５４と、細隙５４を通過し細隙状の照明光を集光する集光レンズ５５とを有し、細隙状の照明光を前記ミラー１２で反射させ、被検眼Ｅの特定部位に照射するように構成している。
【００３６】
前記細隙５４と被検眼Ｅとは、集光レンズ５５に対して共役の位置になるように配置され、これにより、前記ミラー１２を介して被検眼Ｅの例えば角膜に対し、細隙状の照明光を照射し、被検眼Ｅの角膜断面像を前記顕微鏡系６により観察可能としている。
【００３７】
また、前記対物レンズ３１の回りに配置した発光素子Ｌ1 乃至Ｌ16により被検眼Ｅに向けて背景照明光が照射される。
【００３８】
図５は、前記細隙灯顕微鏡１の制御系の主要部を示すものであり、前記光源５１の点灯制御を含む全体の動作制御を行う制御部８１と、前記撮像カメラ４３からの画像信号を取り込む画像制御部８２と、この画像制御部８２に接続した液晶ディスプレイ等の画像モニタ８３と、画像制御部８２に接続した記憶手段である画像メモリ８４と、前記細隙灯顕微鏡１全体の動作に必要な電力を供給する電源部８５と、以下に詳細を説明する発光素子Ｌ1 乃至Ｌ16用の点灯調整手段及び調光手段を構成する操作パネル９０とを有している。
【００３９】
この操作パネル９０の一端側には、図６に示すように、中央部に前記発光素子Ｌ1 乃至Ｌ16の全てを点灯させるためのスイッチＳ1 を配置するとともに、このスイッチＳ1 の回りに８個のスイッチＳ2 乃至Ｓ9 を円形配列し、合計９個のスイッチ構成からなる点灯調整手段を設けている。
【００４０】
また、操作パネル９０の他端側には、図６に示すように、前記発光素子Ｌ1 乃至Ｌ16用の調光釦（光量増加用）９１ａ、調光釦（光量減少用）９１ｂからなる調光スイッチ部と、発光素子Ｌ1 乃至Ｌ16の光量（背景照明光による被検眼Ｅの照射領域の照度）をバー形式表示で可視的に表示する光量レベル表示部９２とからなる調光手段を設けている。
【００４１】
図７は前記合計９個のスイッチＳ1 乃至Ｓ9 と、前記発光素子Ｌ1 乃至Ｌ16との点灯位置及び個数の対応表を示すものである。
【００４２】
図７から明らかなように、点灯調整手段は、例えばスイッチＳ1 の操作により発光素子Ｌ1 乃至Ｌ16の全てを点灯させ、スイッチＳ2 の操作により対物レンズ上側の５個の発光素子Ｌ1 乃至Ｌ5 を点灯させ、スイッチＳ4 の操作により対物レンズ左側の５個の発光素子Ｌ5 乃至Ｌ9 を点灯させ、スイッチＳ6 の操作により対物レンズ下側の５個の発光素子Ｌ5 乃至Ｌ9 を点灯させ、スイッチＳ8 の操作により対物レンズ右側の５個の発光素子Ｌ13乃至Ｌ1 を点灯させるというように、合計９個のスイッチ構成により被検眼Ｅに対する前記発光素子Ｌ1 乃至Ｌ16の点灯位置及び個数を任意に調整し、被検眼Ｅに照射する背景照明光の最適化が可能となっている。
【００４３】
次に、上述した構成の細隙灯顕微鏡１の動作を図８乃至図９をも参照して説明する。
【００４４】
前記照明系８の光源５１から発光した光は、集光レンズ５３を介して細隙５４を照射する。細隙５４と被検眼Ｅとは共役に配置されているので、細隙５４を通過して形成された細隙状の照明光は集光レンズ５５、ミラー１２を経て例えば図８に示すように被検眼Ｅの角膜断面（図８に斜線を付して示す）Ｅｄに照射される。
【００４５】
この場合、点灯調整手段においては、例えばスイッチＳ1 の操作により、被検眼Ｅに正面から対峙させている対物レンズ３１の回りの発光素子Ｌ1 乃至Ｌ16の全てを点灯させ、発光素子Ｌ1 乃至Ｌ16からの背景照明光を被検眼Ｅの角膜断面Ｅｄの周辺部に照射する。これにより被検眼Ｅの全体（主に周辺部分：虹彩等）が照明されることになる。
【００４６】
このようにして、被検眼Ｅに照射され、被検眼Ｅの角膜断面Ｅｄで反射した光及び被検眼Ｅの全体で反射した光束は、前記顕微鏡系６の対物レンズ３１に入射し、さらに、ビームスプリッタ３４を経てその一部が図４に示す結像点ｐに結像し、検者眼Ｅ0 により観察されることになる。
【００４７】
また、ビームスプリッタ３４によりにより分岐される光束は前記ミラー４２を経て撮像カメラ４３に入射し、これにより、検者眼Ｅ0 の観察像と同一の観察像が撮像カメラ４３により撮像され、前記画像制御部８２の制御の基に画像モニタ８３に送られて表示される。
【００４８】
この観察像、即ち、細隙状の照明光による角膜断面像Ｅｄ´は、図１１に示すように、良好なコントラストを維持した状態で観察でき、同時に被検眼Ｅにおける虹彩等を含む全体像Ｅ´をも明瞭に観察できるので、被検眼Ｅの全体像を把握しながら病変部等を観察することが可能となる。
【００４９】
また、本実施の形態によれば、前記発光素子Ｌ1 乃至Ｌ16が各々の発光面が前記顎受け台１０側、即ち、被検眼Ｅ側を向くようにして顕微鏡系６の対物レンズ３１の回りに埋設されているので、省スペース化が可能であり、また、従来例のようなライトガイドを採用する場合に比べ、検者が背景照明の調整のために被検眼Ｅの近傍に手を伸ばす必要もなく、操作性の向上を図れる。
【００５０】
また、上述した場合において、前記調光手段における調光釦９１ａ又は調光釦９１ｂを操作し、発光素子Ｌ1 乃至Ｌ16からの背景照明光を適宜調整することにより、検者眼Ｅ0 より観察する観察像の明るさを調整したり、撮像カメラ４３により撮像する観察像の明るさを調整したり、さらには、撮像カメラ４３の代わりにスチールカメラで被検眼Ｅを撮影する場合の被検眼像の明るさを調整したりすることができる。
【００５１】
図９は細隙状の照明光を被検眼Ｅの正面から照射し、対物レンズ３１を被検眼Ｅの上方から見て水平方向右側に配置した状態で発光素子群からの背景照明光を被検眼Ｅに向けて照射する場合を示すものである。
【００５２】
この場合には、点灯調整手段においては、前記スイッチＳ8 の操作により、被検眼Ｅに対峙させている対物レンズ３１の右側の５個の発光素子Ｌ13乃至Ｌ1 を点灯させ、発光素子Ｌ13乃至Ｌ1 からの背景照明光を前記細隙状の照明光の周辺部に照射する。これにより被検眼Ｅの特定部位を上方から見て水平方向右側から観察する場合においても、背景照明光が最適化され、被検眼Ｅの全体像を把握しながら病変部等を観察することが可能となる。
【００５３】
図１０は細隙状の照明光を被検眼Ｅの正面から照射し、対物レンズ３１を被検眼Ｅの上方から見て水平方向左側に配置した状態で発光素子群からの背景照明光を被検眼Ｅに向けて照射する場合を示すものである。
【００５４】
この場合には、点灯調整手段においては、前記スイッチＳ4 の操作により、被検眼Ｅに対峙させている対物レンズ３１の左側の５個の発光素子Ｌ5 乃至Ｌ9 を点灯させ、発光素子Ｌ5 乃至Ｌ9 からの背景照明光を前記細隙状の照明光の周辺部に照射する。これにより被検眼Ｅの特定部位を上方から見て水平方向左側から観察する場合においても、背景照明光が最適化され、被検眼Ｅの全体像を把握しながら病変部等を観察することが可能となる。
【００５５】
尚、図９、図１０に示す場合においても、前記調光手段における調光釦９１ａ又は調光釦９１ｂの操作を組み合わせ、検者眼Ｅ0 より観察する観察像の明るさを調整したり、撮像カメラ４３により撮像する観察像の明るさを調整したり、さらには、撮像カメラ４３の代わりにスチールカメラで被検眼Ｅを撮影する場合の被検眼像の明るさを調整したりすることも勿論可能である。
【００５６】
図１２は本発明の実施の形態の変形例を示すものであり、対物レンズ３１の回りに発光素子群を配置する代わりに、前記基台４上の照明系８を支持する支持枠１５における前記被検眼Ｅに対向する左右両片１５ａ、１５ｂに、前記被検眼Ｅへ照射する細隙状の照明光の照射野周辺への背景照明光を照射する例えば８個の発光素子Ｌ21乃至Ｌ28からなる発光素子群を垂直配列に設け、これら発光素子Ｌ21乃至Ｌ28を記述した場合と同様に点灯制御するように構成したものである。
【００５７】
このような支持枠１５に発光素子群を設けた構成によっても、被検眼Ｅに対する背景照明光が最適化され、被検眼Ｅの全体像を把握しながら病変部等を観察することが可能となる。
【００５８】
図１３は、本発明の実施の形態のさらに別の変形例の顎受け台１０、固視標支持部材２３ａ、ＬＥＤ支持部材２３ｂの配置を示す分解図である。
【００５９】
前記顎受け台１０の両側端１０ｃ、１０ｄには、図１３に示すように、嵌合状態で同一寸法の装着受部２１ａ、２１ｂを設けている。
【００６０】
また、ＬＥＤを用いた固視標２２を支持する固視標支持部材２３ａと、前記固視標支持部材２３ａと略同一構成からなり背景照明用のＬＥＤ２４を支持するＬＥＤ支持部材２３ｂとを、前記各装着受部２１ａ、２１ｂに各々着脱可能に、かつ、相互に交換可能に配置している。
【００６１】
背景照明用にＬＥＤ２４を用いているが、これは、最近高輝度の白色ＬＥＤがで実用化されたこと、大きさも小さく、しかも安価であることによるものである。前記固視標支持部材２３ａは、装着受部２１ａ、２１ｂに挿入する挿入部２５と、第１の回転可能な継手部２６と、この第１の回転可能な継手部２６により回転可能に支持した第１アーム２７と、第１アーム２７の端部に取り付けた第２の回転可能な継手部２８と、この第２の回転可能な継手部２８により回転可能に支持した第２アーム２９とを備え、この第２のアーム２９の先端部に固視標２２を取り付けている。
【００６２】
前記ＬＥＤ支持部材２３ｂは、前記第２のアーム２９の先端部に、前記固視標２２の替わりに背景照明用のＬＥＤ２４を取り付ける他は、前記固視標支持部材２３ａと同様の構成になっている。
【００６３】
上述した構成を備えた細隙灯顕微鏡１によれば、顎受け台１０の両側端１０ｃ、１０ｄに設けた一対の同様な構成の装着受部２１ａ、２１ｂに対し、固視標２２を支持する固視標支持部材２３ａと、背景照明用のＬＥＤ２４を支持するＬＥＤ支持部材２３ｂとを各々装着して、前記固視標２２による検眼を行なうことはもちろんのこと、被検眼Ｅのスリット観察時に前記ＬＥＤ２４による背景照明光の照射を容易に行なうことが可能となる。
【００６４】
さらに、前記固視標支持部材２３ａ、ＬＥＤ支持部材２３ｂは、適宜装着受部２１ａ、２１ｂから取り外るせるので、顎受け台１０に被検者の顔があるとき等に邪魔にならず、また、周辺領域を整然とすることができる。
【００６５】
また、取り外した固視標支持部材２３ａの替わりに、別のＬＥＤ支持部材２３ｂを装着受部２１ａに取り付けることができ、この場合には、被検眼Ｅの左右両方向からの背景照明を実現でき、より影のない良好な被検眼の背景像を得ることができる。
【００６６】
さらにまた、前記固視標２２と背景照明用のＬＥＤ２４とを同一の支持部材により支持し、切り替えスイッチにより交互に切り替える構造のものでも良い。
【００６７】
このような図１３に示す構成によれば、顎受け台１０に設けた一対の同一の構成の装着部２１ａ、２１ｂに対し、固視標２２を支持する固視標支持部材２３ａと、被検眼Ｅのスリット観察時の背景照明用のＬＥＤ２４を支持するＬＥＤ支持部材２３ｂとを各々装着して、固視標２４による被検眼Ｅの誘導と、前記ＬＥＤ２４による披検眼Ｅのスリット観察の背景照明とを各々容易に行なうことができる。また、被検眼Ｅの検査時の操作性の向上、金物部品、電気部品の削減及び共通化による構成の簡素化を図ることができる。
【００６８】
さらに、固視標支持部材２３ａ、ＬＥＤ支持部材２３ｂとは寸法的に共通化され、しかも、固視標２２のＬＥＤ、前記ＬＥＤ２４の点灯用の電力は、細隙灯顕微鏡１の主電源から共通に得ることができるので、別電源の必要性はなく構造の簡略化が図れる。
【００６９】
【発明の効果】
本発明によれば、省スペース化を図りつつ良好な操作性を得ることができ、しかも、被検眼を多角的に被検眼の観察、記録を行う場合に、各々特定部位に対する最適な背景照明を得て、被検眼の特定部位、周辺部ともに明瞭に観察し、記録することが可能な細隙灯顕微鏡を提供することができる。
【００７０】
また、本発明によれば、被検眼に対する対物レンズの位置関係に応じた最適の背景照明光を照射でき、異なる角度から被検眼の特定部位を観察する場合においてもその周辺領域を明瞭に観察し、記録することが可能な細隙灯顕微鏡を提供することができる。
【００７１】
さらに本発明によれば、照明系を支持する支持枠における被検眼に対向する領域に発光素子群を配置した構成で省スペース化を図りつつ良好な操作性の基に被検眼の特定部位、周辺部ともに明瞭に観察し、記録することが可能な細隙灯顕微鏡を提供することができる。
【図面の簡単な説明】
【図１】本発明の実施の形態１の細隙灯顕微鏡の外観を示す側面図である。
【図２】本発明の実施の形態１の細隙灯顕微鏡の顕微鏡系及び顎受け台の部分斜視図である。
【図３】本発明の実施の形態１の顕微鏡系の顕微鏡鏡筒端面の発光素子群を示す説明図である。
【図４】本発明の実施の形態１の細隙灯顕微鏡の光学系の主要部を示す概略図である。
【図５】本発明の実施の形態１の細隙灯顕微鏡の制御系の主要部を示すブロック図である。
【図６】本発明の実施の形態１の細隙灯顕微鏡の操作パネルを示す平面図である。
【図７】本発明の実施の形態１のスイッチと発光素子群との点灯対応表である。
【図８】本発明の実施の形態１の被検眼に対する細隙状の照明光と背景照明光の照射状態を示す説明図である。
【図９】本発明の実施の形態１の被検眼に対する細隙状の照明光と背景照明光の照射状態の他例を示す説明図である。
【図１０】本発明の実施の形態１の被検眼に対する細隙状の照明光と背景照明光の照射状態のさらに別の例を示す説明図である。
【図１１】本発明の実施の形態１の被検眼像の一例を示す説明図である。
【図１２】本発明の実施の形態の変形例を示す部分拡大図である。
【図１３】本発明の実施の形態のさらに別の変形例の顎受け台、固視標支持部材、ＬＥＤ支持部材の配置を示す分解図である。
【図１４】従来の細隙灯顕微鏡におけるスリット光の照射状態を示す説明図である。
【図１５】従来の細隙灯顕微鏡における観察像を示す説明図である。
【図１６】従来の細隙灯顕微鏡の外観を示す側面図である。
【図１７】従来例の顎受け台、固視標支持部材の配置を示す分解図である。
【図１８】従来の顎受け台、背景照明用のＬＥＤの配置の一例を示す正面図である。
【図１９】従来の顎受け台、用のＬＥＤの配置の他例を示す正面図である。
【符号の説明】
１  細隙灯顕微鏡
６  顕微鏡系
８  照明系
１２  ミラー
２０  撮像装置
２１ａ  装着受部
２１ｂ  装着受部
２２  固視標
２３ａ  固視標支持部材
２３ｂ  ＬＥＤ支持部材
２４  ＬＥＤ
３１  対物レンズ
３２  変倍光学系
３３  集光レンズ
３４  ビームスプリッタ
３５  リレーレンズ
３６  プリズム
４３  撮像カメラ
５１  光源
５３  集光レンズ
５４  細隙
８１  制御部
８２  画像制御部
８３  画像モニタ
８４  画像メモリ
９０  操作パネル
９１ａ  調光釦
９２  光量レベル表示部
Ｓ1 乃至Ｓ9   スイッチ
Ｌ1 乃至Ｌ16  発光素子
【図１】
0004592905.tif 000002
【図２】
0004592905.tif 000003
【図３】
0004592905.tif 000004
【図４】
0004592905.tif 000005
【図５】
0004592905.tif 000006
【図６】
0004592905.tif 000007
【図７】
0004592905.tif 000008
【図８】
0004592905.tif 000009
【図９】
0004592905.tif 000010
【図１０】
0004592905.tif 000011
【図１１】
0004592905.tif 000012
【図１２】
0004592905.tif 000013
【図１３】
0004592905.tif 000014
【図１４】
0004592905.tif 000015
【図１５】
0004592905.tif 000016
【図１６】
0004592905.tif 000017
【図１７】
0004592905.tif 000018
【図１８】
0004592905.tif 000019
【図１９】
0004592905.tif 000020